(57)【要約】      （修正有）【課題】応力によりレンズに生じる光学的影響を防止する。【解決手段】ルーペであって、レンズ１１０と、レンズの光軸に交差する方向にレンズを付勢する付勢部１２６と、レンズを挟む一対の枠部材１２０、および、付勢部の付勢力に抗してレンズに当接することにより枠部材に対してレンズを位置決めする位置決め部を有する保持部２１０とを備える。上記ルーペにおいて、枠部材が、レンズに当接する斜面を有し、付勢部は、一対の枠部材が斜面においてレンズを挟む力によりレンズを付勢してもよい。【選択図】図８
2014048337.tif 000002
【特許請求の範囲】
【請求項１】
レンズと、
前記レンズの光軸に交差する方向に前記レンズを付勢する付勢部と、
前記レンズを挟む一対の枠部材、および、前記付勢部の付勢力に抗して前記レンズに当接することにより前記一対の枠部材に対して前記レンズを位置決めする位置決め部を有する保持部と
を備えるルーペ。
【請求項２】
前記一対の枠部材は、前記レンズに当接する斜面を有し、
前記付勢部は、前記一対の枠部材が前記斜面において前記レンズを挟む力により前記レンズを付勢する請求項１に記載のルーペ。
【請求項３】
前記レンズは、前記一対の枠部材に当接する斜面を有し、
前記付勢部は、前記一対の枠部材が前記斜面において前記レンズを挟む力により前記レンズを付勢する請求項１に記載のルーペ。
【請求項４】
前記レンズは、当該レンズから突出して設けられた突出部を有し、
前記一対の枠部材は、前記突出部を挟む請求項１から請求項３までのいずれか一項に記載のルーペ。
【請求項５】
前記付勢部は、前記突出部に当接して前記レンズを付勢する請求項４に記載のルーペ。
【請求項６】
前記突出部は、前記付勢部の付勢方向に向かって形成された当接面を有し、
前記位置決め部は、前記当接面に当接する位置決め面を含む請求項４または請求項５に記載のルーペ。
【請求項７】
前記レンズは、前記付勢部の付勢方向に向かって、前記突出部以外の部分に形成された当接面を有し、
前記位置決め部は、前記当接面に当接する位置決め面を含む請求項４または請求項５に記載のルーペ。
【請求項８】
前記一対の枠部材は、前記レンズに向かって突出して前記レンズを挟む突出部をそれぞれ有する請求項１に記載のルーペ。
【請求項９】
前記保持部は、前記レンズの径方向に延在するグリップ部を有する請求項１から請求項８までのいずれか一項に記載のルーペ。
【請求項１０】
前記グリップ部は、前記レンズから遠ざかる程太くなる請求項９に記載のルーペ。
【請求項１１】
前記グリップ部は、長手方向に交差する断面において矩形の断面形状を有する請求項９または請求項１０に記載のルーペ。
【請求項１２】
前記保持部は、内部に空洞を有する請求項１から請求項１１までのいずれか一項に記載のルーペ。
【請求項１３】
前記一対の枠部材は、光軸と直交する方向について、前記付勢部が前記レンズを付勢する位置から離間した位置で相互に結合される請求項１から請求項１２までのいずれか一項に記載のルーペ。
【請求項１４】
前記保持部は、弾性材料により形成され、前記一対の枠部材の境界を覆う環状の部材を更に有する請求項１から請求項１３までのいずれか一項に記載のルーペ。
【請求項１５】
前記保持部は、前記レンズに外力が作用した場合に、前記レンズよりも大きく弾性変形する請求項１から請求項１４までのいずれか一項に記載のルーペ。
【発明の詳細な説明】
【技術分野】
【０００１】
本発明は、ルーペに関する。
【背景技術】
【０００２】
リムにレンズを嵌め込んで保持する構造の拡大鏡がある（例えば、特許文献１参照）。
［特許文献１］  特開２００３−０７５７３２号公報
【発明の概要】
【発明が解決しようとする課題】
【０００３】
レンズ枠によるレンズの保持力が、レンズの光学特性に影響を及ぼす場合がある。
【課題を解決するための手段】
【０００４】
本発明の一態様においては、レンズと、レンズの光軸に交差する方向にレンズを付勢する付勢部と、レンズを挟む一対の枠部材、および、付勢部の付勢力に抗してレンズに当接することにより枠部材に対してレンズを位置決めする位置決め部を有する保持部とを備えるルーペが提供される。
【０００５】
上記の発明の概要は、本発明の必要な特徴の全てを列挙したものではない。これら特徴群のサブコンビネーションもまた発明となり得る。
【図面の簡単な説明】
【０００６】
【図１】ルーペ１００の正面図である。
【図２】ルーペ１００の分解斜視図である。
【図３】レンズ１１０の正面図である。
【図４】レンズ１１０の部分拡大図である。
【図５】レンズ１１０の平面図である。
【図６】レンズ１１０の断面図である。
【図７】後側枠部材１２０の正面図である。
【図８】後側枠部材１２０およびレンズ１１０の正面図である。
【図９】後側枠部材１２０およびレンズ１１０の部分拡大図である。
【図１０】前側枠部材１３０の背面図である。
【図１１】ルーペ１００の断面図である。
【図１２】ルーペ１００の平面図である。
【図１３】ルーペ１００の断面図である。
【図１４】後側枠部材１２０およびレンズ１５０の正面図である。
【図１５】後側枠部材１２０およびレンズ１５０の部分拡大図である。
【発明を実施するための形態】
【０００７】
以下、発明の実施の形態を通じて本発明を説明する。以下の実施形態は特許請求の範囲にかかる発明を限定するものではない。実施形態の中で説明されている特徴の組み合わせの全てが発明の解決手段に必須であるとは限らない。
【０００８】
図１は、ルーペ１００の正面図である。ルーペ１００は、レンズ１１０および保持部２００を備える。更に、保持部２００は、枠部２１０およびグリップ部２２０を有する。
【０００９】
保持部２００において、枠部２１０は、透明なレンズ１１０の周囲を包囲する。保持部２００において、グリップ部２２０は、矩形の枠部２１０のひとつの角部からレンズ１１０の径方向に延在する。これにより、レンズ１１０を通して観察する対象を、グリップ部２２０を握るユーザの手が妨げることを抑制できる。
【００１０】
また、グリップ部２２０は、レンズ１１０から遠ざかるほど幅が太くなる末広がりの形状を有する。これにより、グリップ部２２０に対する指掛かりが良好になる。また、握ったユーザの掌からグリップ部２２０が抜け難くなる。
【００１１】
なお、保持部２００の周囲は、エラストマリング１４０により包囲される。エラストマリング１４０は、シリコン、ポリウレタン、ポリプロピレン、ゴム等のエラストマ材料により形成される。エラストマリング１４０は、グリップ部２２０においては滑り止めとして機能し、グリップ部２２０の下端、枠部２１０等においては緩衝材として機能する。
【００１２】
図２は、ルーペ１００の分解斜視図である。ルーペ１００は、レンズ１１０、後側枠部材１２０、前側枠部材１３０およびエラストマリング１４０を備える。
【００１３】
レンズ１１０は、略矩形の光学面１１１を有する凸レンズであり、透明樹脂材料を成形して製造される。レンズ１１０において、光学面１１１の周囲に位置する周面１１２のうち、図中上部に位置する一辺に突出部１１３が設けられる。
【００１４】
後側枠部材１２０および前側枠部材１３０は、それぞれ、内壁部１２１、１３１、外壁部１２２、１３２、溶着突起部１２４、付勢部１２６を有し、互いに合わさって保持部２００を形成する。これにより、それぞれが矩形の断面形状を有する枠部２１０およびグリップ部２２０を含む保持部２００が形成される。また、保持部２００の外周において、後側枠部材１２０および前側枠部材１３０の境界は、エラストマリング１４０により全周にわたって覆われる。
【００１５】
図中に内面が現れている後側枠部材１２０について説明すると、内壁部１２１は、枠部２１０の内周に沿って形成される。また、外壁部１２２は、後側枠部材１２０全体の外周に沿って形成される。これにより、後側枠部材１２０の内側には、空洞部１２３が形成される。溶着突起部１２４は、空洞部１２３内に、互いに離間して複数設けられる。
【００１６】
内壁部１２１の図中上辺には、内壁部１２１の一部を切り欠いて開口部１２５が形成される。開口部１２５は、レンズ１１０の突出部１１３の一部と相補的な形状を有する。付勢部１２６は、開口部１２５の近傍において空洞部１２３から起立する。
【００１７】
図３は、レンズ１１０単独の正面図である。レンズ１１０は、略矩形の光学面１１１を有する。また、周面１１２から、光学面１１１の径方向について図中上方に突出した突出部１１３を有する。突出部１１３は、レンズ１１０の一部として、光学面１１１と一体的に成形されてもよい。
【００１８】
図４は、レンズ１１０の部分拡大図である。図４は、図３において点線Ａで囲った領域を拡大して示す。
【００１９】
突出部１１３は、先端部１１４および中継部１１５を含む。中継部１１５における図中下側の端は、レンズ１１０の周面１１２に結合される。中継部１１５における図中上側の端には先端部１１４が一体的に設けられる。
【００２０】
中継部１１５における図中側方の側面は、図中手前側の側面に対して鈍角をなす傾斜面１１８を有する。また、先端部１１４における図中側方の側面も、図中手前側の側面に対して鈍角をなす傾斜面１１７有する。更に、先端部１１４における図中上側の端面は、図中手前側の側面に対して鈍角をなす傾斜面１１６を有する。突出部１１３におけるこれら傾斜面１１６、１１７、１１８は、紙面の裏面側においても突出部１１３に形成される。
【００２１】
また、突出部１１３において、先端部１１４は、中継部１１５よりも図中側方に突出する。このため、先端部１１４の図中側端部は中継部１１５の側方に突出して、先端部１１４の図中下面には当接面１１９が形成される。
【００２２】
図５は、レンズ１１０の平面図である。図５は、図３に矢印Ｂで示す視点からレンズ１１０の図中上側の周面１１２を見た様子を示す。レンズ１１０における図示の周面１１２には突出部１１３が配される。
【００２３】
レンズ１１０を上方から見下ろした場合に、突出部１１３は、レンズ１１０の幅方向および厚さ方向の中央に配される。図中では、先端部１１４の傾斜面１１６、１１７が、突出部１１３の裏面にも形成されていることが判る。
【００２４】
図６は、レンズ１１０の断面図である。図６は、図３に直線Ｃで示す断面を、レンズ１１０の図中上方から見下ろした様子を示す。
【００２５】
図中には、突出部１１３の中継部１１５の水平断面が現れている。また、図中では、中継部１１５の傾斜面１１８が、突出部１１３の裏面にも形成されていることが判る。また、先端部１１４を図中に点線で示すように、中継部１１５の幅が、先端部１１４の幅よりも狭いことが判る。
【００２６】
図７は、後側枠部材１２０を単独で示す正面図である。後側枠部材１２０は、内壁部１２１、外壁部１２２、溶着突起部１２４および付勢部１２６を有する。
【００２７】
内壁部１２１は、レンズ１１０の周面１１２と略相補的な形状を有する。外壁部１２２は、後側枠部材１２０の外周に沿って形成される。内壁部１２１および外壁部１２２の間には、枠部２１０およびグリップ部２２０全体に連通した空洞部１２３が形成される。これにより、材料が節約されると共に、後側枠部材１２０が軽量化される。
【００２８】
付勢部１２６は、枠部２１０の上辺において、内壁部１２１および外壁部１２２と平行に空洞部１２３内に配される。ただし、付勢部１２６の図中上方で外壁部１２２の一部が取り除かれ、開口部１２７が形成される。
【００２９】
溶着突起部１２４は、空洞部１２３内に配され、紙面に対して手前に向かって突出して形成される。溶着突起部１２４の長さは、内壁部１２１および外壁部１２２の高さよりも大きく、溶着突起部１２４は、空洞部１２３から突出する。
【００３０】
図８は、後側枠部材１２０およびレンズ１１０の正面図である。図８においては、後側枠部材１２０の内側にレンズ１１０が組付けられた様子を示す。
【００３１】
レンズ１１０の光学面１１１は、後側枠部材１２０の内壁部１２１の内側に入り込んでいる。また、レンズ１１０の突出部１１３は、内壁部１２１および外壁部１２２の間の空洞部１２３に入り込んでいる。
【００３２】
図９は、後側枠部材１２０およびレンズ１１０の部分拡大図である。図９は、図８に点線Ｄで囲った領域を拡大して示す。
【００３３】
突出部１１３の中継部１１５は、後側枠部材１２０の内壁部１２１における開口部１２５に嵌まり込んでいる。既に説明した通り、中継部１１５と開口部１２５は相補的な形状を有する。よって、中継部１１５の外周と開口部１２５の内面とは略密着する。
【００３４】
突出部１１３の先端部１１４において、図中上端の傾斜面１１６は、後側枠部材１２０の付勢部１２６に当接する。これにより、突出部１１３は、付勢部１２６により図中下方に向かって付勢される。このため、先端部１１４の当接面１１９が、内壁部１２１の内面に向かって押し付けられる。
【００３５】
図１０は、前側枠部材１３０の背面図である。前側枠部材１３０は、後側枠部材１２０に対して鏡映対称に配された内壁部１３１、外壁部１３２、溶着嵌合部１３４および付勢部１３６を有する。
【００３６】
前側枠部材１３０においても、内壁部１３１は、レンズ１１０の周面１１２と略相補的な形状を有する。外壁部１３２は、前側枠部材１３０の外周に沿って形成される。内壁部１３１および外壁部１３２の間には、枠部２１０およびグリップ部２２０全体に連通した空洞部１３３が形成される。これにより、材料が節約されると共に、前側枠部材１３０が軽量化される。
【００３７】
付勢部１３６は、枠部２１０の上辺において、内壁部１３１および外壁部１３２と平行に空洞部１３３内に配される。ただし、付勢部１３６の図中上方で外壁部１３２の一部が取り除かれ、開口部１３７が形成される。
【００３８】
溶着嵌合部１３４は、空洞部１３３内に配され、紙面に対して手前に向かって突出して形成される。また、溶着嵌合部１３４の先端には、後側枠部材１２０の溶着突起部１２４と相補的な形状の嵌合穴が配される。溶着嵌合部１３４の嵌合穴は、前側枠部材１３０を後側枠部材１２０と合わせた場合に、内壁部１２１、１３１および外壁部１２２、１３２よりも先に、溶着嵌合部１３４の嵌合穴の底面が溶着突起部１２４に当接する深さを有する。
【００３９】
上記のような前側枠部材１３０を、図８に示したようにレンズ１１０を組み込んだ後側枠部材１２０に重ねて、３箇所の溶着嵌合部１３４を後側枠部材１２０の溶着突起部１２４に溶着することにより保持部２００が一体化される。溶着突起部１２４および溶着嵌合部１３４は、相互に嵌合させた状態で超音波帯域の振動を与えることにより、相互の当接部分の摩擦熱により溶着させることができる。
【００４０】
なお、後側枠部材１２０および前側枠部材１３０の一体化方法は、溶着に限られるわけではない。例えば、接着、ねじ止め、嵌め合い等の他の方法によって保持部２００を一体化することができる。
【００４１】
また、複数の溶着突起部１２４および溶着嵌合部１３４は、それぞれ離間して配される。よって、溶着突起部１２４および溶着嵌合部１３４以外の場所において、後側枠部材１２０および前側枠部材１３０は、それ自体の弾性変形の範囲で互いに離間できる。
【００４２】
ただし、完成したルーペ１００において、後側枠部材１２０および前側枠部材１３０の接合部はエラストマリング１４０に覆われている。このため、弾性変形により後側枠部材１２０および前側枠部材１３０の間に間隙が生じた場合も、当該間隙を外部から見ることはできない。
【００４３】
図１１は、ルーペ１００の断面図である。図１１は、図１において直線Ｅにより示す位置の断面を示す。ただし、図１１は、エラストマリング１４０を取り除いたルーペ１００を示す。
【００４４】
後側枠部材１２０および前側枠部材１３０が互いに溶着されて保持部２００が形成された場合、内壁部１２１、１３１の開口部１２５、１３５は、レンズ１１０における突出部１１３の中継部１１５を、レンズ１１０の光軸Ｘの方向に挟む。中継部１１５と開口部１２５、１３５は相補的な形状を有するので、中継部１１５の外周と開口部１２５、１３５の内面とは略密着する。よって、中継部１１５と開口部１２５、１３５とが離間する方向については、レンズ１１０の保持部２００に対する変位が規制される。
【００４５】
また、中継部１１５の長手方向両端には、それぞれ傾斜面１１８が配される。後側枠部材１２０および前側枠部材１３０が相互に溶着された場合、傾斜面１１８の各々は、開口部１２５、１３５の内面に形成された斜面に対して押し付けられる。これにより、開口部１２５、１３５から中継部１１５に対して、紙面上の上下方向成分および横方向成分の力が作用するので、中継部１１５と開口部１２５、１３５との間にがたが生じることが防止される。
【００４６】
更に、開口部１２５、１３５における斜面は、図中の水平面と鈍角をなす。よって、中継部１１５が紙面に垂直な回転軸の廻りに回転する力がレンズ１１０に作用した場合も、開口部１２５、１３５の隅部に生じる応力集中が緩和され、枠部２１０の実効的な強度を向上させることができる。
【００４７】
図１２は、ルーペ１００の平面図である。図１２は、図１に矢印Ｆで示すように、ルーペ１００を図中上方から見下ろした様子を示す。ただし、図１２は、エラストマリング１４０を取り除いたルーペ１００を示す。
【００４８】
ルーペ１００を見下ろすと、外壁部１２２、１３２に形成された開口部１２７、１３７の内側において、付勢部１２６、１３６が突出部１１３に当接する様子が判る。後側枠部材１２０の付勢部１２６の先端と、前側枠部材１３０の付勢部１３６の先端との間には、間隙が残されている。
【００４９】
突出部１１３における先端部１１４は、付勢部１２６、１３６先端の間隙に入り込んで、付勢部１２６、１３６により、レンズ１１０の光軸Ｘ方向に挟まれている。これにより、付勢部１２６、１３６のそれぞれの先端は、突出部１１３における先端部１１４の傾斜面１１６に当接する。
【００５０】
先端部１１４の幅は、付勢部１２６、１３６の幅よりも広い。これにより、付勢部１２６、１３６の先端は、全幅にわたって傾斜面１１６に当接する。
【００５１】
なお、先端部１１４の図中側端に位置する傾斜面１１７は、図示の例では、後側枠部材１２０および前側枠部材１３０のいずれにも全く接していない。しかしながら、例えば、傾斜面１１７と相補的な形状を有する部分を後側枠部材１２０および前側枠部材１３０に設けて、開口部１２５、１３５のように傾斜面１１７に当接させることにより、レンズ１１０を、後側枠部材１２０および前側枠部材１３０に対してより強固に位置決めすることもできる。
【００５２】
また、例えば、傾斜面１１７に付勢力を作用する部分を後側枠部材１２０および前側枠部材１３０に設けて、付勢部１２６、１３６のように傾斜面１１７に付勢力を作用させることにより、レンズ１１０の変位に対してより強い復元力を作用させることもできる。このように、傾斜面１１７は、例えば、ルーペ１００に取り付けるレンズ１１０の重量が大きい場合等に付加的に利用してもよい。
【００５３】
図１３は、組み立てられたルーペ１００の断面図である。図１３は、図１において直線Ｇで示す縦断面を示す。なお、直線Ｇは、レンズ１１０の光軸Ｘから図１の図中側方にオフセットしている。このため、図１３の図中には、レンズ１１０における突出部１１３の断面と共に付勢部１２６、１３６の断面も現れる。
【００５４】
ルーペ１００において、レンズ１１０の突出部１１３先端の傾斜面１１６は、後側枠部材１２０の付勢部１２６先端と、前側枠部材１３０の付勢部１３６先端との間に挟まれる。ここで、付勢部１２６、１３６のそれぞれは、枠部２１０の空洞部１２３、１３３から、枠部２１０に保持されたレンズ１１０の光軸Ｘと平行な方向に突出して、傾斜面１１６に当接する。一方、突出部１１３の傾斜面１１６は、光軸Ｘに対して傾きを有する。よって、突出部１１３は、図中で光軸に直交する方向、即ち、レンズ１１０の径方向について図中下方に向かって、付勢部１２６、１３６に付勢される。
【００５５】
図９を参照して説明した通り、レンズ１１０が図中下方に向かって付勢されると、突出部１１３の先端部１１４に形成された当接面１１９が、内壁部１２１、１３１の内面に当接する。これにより、レンズ１１０は、付勢部１２６、１３６の付勢力に抗して移動を規制され、枠部２１０に対して位置決めされる。このように、ルーペ１００においては、開口部１２５、１３５周辺において、内壁部１２１、１３１の内面にレンズ１１０を位置決めする位置決め部が形成される。
【００５６】
これにより、レンズ１１０は、枠部２１０に対して位置決めされ、レンズ１１０の枠部２１０に対するがたが防止される。なお、上記の例では、枠部２１０に設けた付勢部１２６、１３６によりレンズ１１０を付勢する構造とした。しかしながら、予め定めた方向にレンズ１１０を付勢することができれば、他の構造でもよい。例えば、レンズ１１０の一部に弾性変形しやすい部分を設けて、レンズ１１０自体を付勢する構造にしてもよい。
【００５７】
また、上記の例では、レンズ１１０が突出部１１３の傾斜面１１６において付勢され、且つ、突出部１１３の当接面１１９において位置決めされる。よって、図１における枠部２１０のうち上辺以外の部分はレンズ１１０の位置決めに寄与しない。よって、枠部２１０の形状を環状にせず、側辺および下辺の一部を省略した形状にしても、レンズ１１０を位置決めできる。
【００５８】
ここで、再び図１を参照して、レンズ１１０の光学面１１１に押圧力Ｐ１が作用した場合について説明する。押圧力Ｐ１が光学面１１１に作用した場合、レンズ１１０は、枠部２１０に挟まれた突出部１１３を回転軸として、図１３に示した面内で反時計廻りに回転する。
【００５９】
先に図１０を参照して説明したように、後側枠部材１２０および前側枠部材１３０には予め定められた範囲で弾性変形が許される。よって、レンズ１１０が回転した場合は、後側枠部材１２０および前側枠部材１３０が弾性変形して、レンズ１１０の突出部１１３の折損を防止する。また、押圧力Ｐ１が除かれた場合は、後側枠部材１２０および前側枠部材１３０の弾性によりレンズ１１０は元の位置に復帰する。
【００６０】
また、同様に図１を参照して、レンズ１１０の光学面１１１に他の押圧力Ｐ２が作用した場合について説明する。押圧力Ｐ２が光学面１１１に作用した場合、レンズ１１０は、枠部２１０に挟まれた突出部１１３を回転軸として、図１１に示した面内で反時計廻りに回転する。この場合も、後側枠部材１２０および前側枠部材１３０が弾性変形することにより、突出部１１３の折損が防止される。また、押圧力Ｐ２が除かれた場合は、後側枠部材１２０および前側枠部材１３０の弾性によりレンズ１１０は元の位置に復帰する。
【００６１】
このように、ルーペ１００においては、レンズ１１０に外力が作用した場合に、レンズ１１０よりも後側枠部材１２０および前側枠部材１３０がより大きく弾性変形する。これにより、部材の破損を防止すると共に、外力が除かれた場合は、当初の形状を取り戻す。
【００６２】
図１４は、他の実施形態に係る後側枠部材１２０およびレンズ１５０の正面図である。この実施形態に係る後側枠部材１２０およびレンズ１５０は、次に説明する部分を除くと、図１３までに示した実施形態と同じ構造を有する。よって、共通の要素には同じ参照番号を付して重複する説明を省く。
【００６３】
図１４は、図８と同じ視点で描かれており、レンズ１５０の光学面１１１が、後側枠部材１２０の内壁部１２１の内側に入り込んでいる。また、レンズ１５０の図中上部に設けられた突出部１５３が、内壁部１２１および外壁部１２２の間の空洞部１２３に入り込んでいる。
【００６４】
図１５は、図１４に示した後側枠部材１２０およびレンズ１５０の部分拡大図である。図１５は、図１４に点線Ｈで囲った領域を拡大して示す。図示のように、レンズ１５０の突出部１５３の形状は、図９に示したレンズ１１０の突出部１１３と異なる。即ち、レンズ１５０の突出部１５３においては、中継部１１５の断面形状が先端まで保たれ、紙面上の幅が広くなった先端部１１４は形成されない。よって、レンズ１５０の突出部１５３は、当接面１１９を有していない。
【００６５】
このため、突出部１５３先端の傾斜面１１６に付勢部１２６が当接してレンズ１５０が付勢された場合、突出部１５３においてレンズ１５０は位置決めされない。しかしながら、再び図１４を参照すると、突出部１５３においてレンズ１５０が付勢された場合、レンズ１５０の図中下端が後側枠部材１２０の内壁部１２１に当接して、枠部２１０に対して位置決めされる。
【００６６】
このように、ルーペ１００におけるレンズ１５０の位置決め部は、突出部１５３の直近に設けなくてもよい。上記の例では、枠部２１０の図中下側、即ち、突出部１５３に対して対称的な位置に位置決め部を設けた。しかしながら、付勢部１２６による付勢に抗してレンズ１５０を位置決めできる位置であれば、枠部２１０の他の位置に位置決め部を設けてもよい。
【００６７】
更に、上記の２つの例では、レンズ１１０、１５０に突出部１１３、１５３を設けて枠部２１０に挟んで保持させる構造とした。しかしながら、レンズ１１０、１５０に突出部１１３、１５３を設けることなく、枠部２１０側から突出した保持部によりレンズ１１０、１５０を挟んで保持する構造とすることもできる。
【００６８】
以上、本発明を実施の形態を用いて説明したが、本発明の技術的範囲は上記実施の形態に記載の範囲に限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００６９】
１００  ルーペ、１１０、１５０  レンズ、１１１  光学面、１１２  周面、１１３、１５３  突出部、１１４  先端部、１１５  中継部、１１６、１１７、１１８  傾斜面、１１９  当接面、１２０  後側枠部材、１２１、１３１  内壁部、１２２、１３２  外壁部、１２３、１３３  空洞部、１２４  溶着突起部、１２５、１２７、１３５、１３７  開口部、１２６、１３６  付勢部、１３０  前側枠部材、１３４  溶着嵌合部、１４０  エラストマリング、２００  保持部、２１０  枠部、２２０  グリップ部
【図１】
2014048337.tif 000003
【図２】
2014048337.tif 000004
【図３】
2014048337.tif 000005
【図４】
2014048337.tif 000006
【図５】
2014048337.tif 000007
【図６】
2014048337.tif 000008
【図７】
2014048337.tif 000009
【図８】
2014048337.tif 000010
【図９】
2014048337.tif 000011
【図１０】
2014048337.tif 000012
【図１１】
2014048337.tif 000013
【図１２】
2014048337.tif 000014
【図１３】
2014048337.tif 000015
【図１４】
2014048337.tif 000016
【図１５】
2014048337.tif 000017